(57)【要約】本発明の実施形態は、発光ダイオード(LED)と、LEDの上に配置されている透明な構造体とを含む。透明な構造体は、LEDから抽出され、第１表面に入射する光を反射する第１表面を含む。透明な構造体は、また、第１表面に対向する出射表面を含む。出射面は、第１角度範囲にわたり光を拡散するようにテクスチャー化された第１領域と、第２角度範囲にわたり光を拡散するようにテクスチャー化された第２領域とを含む。第２角度範囲は、第１角度範囲よりも広い。
2020514974.tif 000002
【特許請求の範囲】
【請求項１】
発光ダイオード（ＬＥＤ）と、
前記ＬＥＤの上に配置されている透明な構造体と、
を含む、デバイスであって、
前記透明な構造体は、
第１表面であり、前記ＬＥＤから抽出され、かつ、該第１表面に入射する光を反射する、第１表面と、
前記第１表面に対向する出射面であり、該出射面は、第１角度範囲にわたり光を拡散するようにテクスチャー化された第１領域、および、該第１角度範囲よりも広い第２角度範囲にわたり光を拡散するようにテクスチャー化された第２領域を含む、出射面と、
屈折レンズであり、前記ＬＥＤが該屈折レンズの下に配置されている、屈折レンズと、を含み、
前記屈折レンズは、前記第２領域の下に配置されており、かつ、前記第１表面の少なくとも一部分は、前記第１領域の下に配置されており、
前記第１領域は、第１アレイに配置された複数の第１小型レンズを用いてテクスチャー化されており、かつ、前記第２領域は、第２アレイに配置された複数の第２小型レンズを用いてテクスチャー化されており、
前記小型レンズの前記アレイのアスペクト比は、小型レンズの高さを隣接する小型レンズ間の距離で除算したものによって定義され、前記第１小型レンズは第１アスペクト比を有し、かつ、前記第２小型レンズは第２アスペクト比を有し、前記第２アスペクト比は前記第１アスペクト比よりも小さい、
デバイス。
【請求項２】
前記第１表面は、金属反射器であり、かつ、
前記第１表面および前記出射面は、ガスで充填された領域を取り囲む、
請求項１に記載のデバイス。
【請求項３】
前記第１表面は、固体構造体の表面であり、かつ、
前記第１表面は、全内部反射を生じさせる、
請求項１に記載のデバイス。
【請求項４】
前記第１小型レンズは、前記第２小型レンズよりも背が高い、
請求項１に記載のデバイス。
【請求項５】
前記第１小型レンズは、前記第２小型レンズよりも曲率半径が小さい、
請求項１に記載のデバイス。
【請求項６】
前記第２領域は、前記第１領域の一部分によって分離された第１領域および第２領域へと分割されている、
請求項１に記載のデバイス。
【請求項７】
前記透明な構造体は、さらに、
前記出射面に対向する前記透明な構造体の表面上に配置された第１屈折レンズおよび第２屈折レンズを含み、前記第１屈折レンズおよび前記第２屈折レンズは、それぞれに、前記第１領域および前記第２領域の下に配置されている、
請求項６に記載のデバイス。
【請求項８】
前記第１表面の一部分は、前記第１屈折レンズと前記第２屈折レンズとの間に配置されている、
請求項７に記載のデバイス。
【請求項９】
請求項１に記載のデバイスを備える、電球。
【請求項１０】
第１テクスチャー面および第２テクスチャー面の前記小型レンズは、丘を有し、丘は谷によって分離されており、
前記第１テクスチャー面の前記小型レンズの高さは、第２テクスチャー面の前記小型レンズの高さと異なる、
請求項１に記載のデバイス。
【請求項１１】
前記第１テクスチャー面の前記丘の高さは、第２テクスチャー面の前記丘の高さより低い、
請求項１０に記載のデバイス。
【請求項１２】
前記出射面は、さらに、実質的な平坦面を含む、
請求項１０に記載のデバイス。
【請求項１３】
前記ＬＥＤは、第１ＬＥＤであり、
前記屈折レンズは、第１屈折レンズであり、
前記ＬＥＤの上に配置される透明な構造体は、さらに、前記出射面に対向して配置されている第２屈折レンズを含み、かつ、
前記デバイスは、さらに、前記第２屈折レンズの下に配置された第２ＬＥＤを含む、
請求項１に記載のデバイス。
【請求項１４】
前記第１領域は、第１部分および第２部分へと分割されており、
前記第１部分は、前記第１屈折レンズの上に配置されており、かつ、前記第２部分は、前記第２屈折レンズの上に配置されている、
請求項１３に記載のデバイス。
【請求項１５】
請求項１０に記載のデバイスを備える電球。
【発明の詳細な説明】
【背景技術】
【０００１】
発光ダイオード(LED)、共振空洞発光ダイオード(RCLED)、垂直空洞レーザダイオード(VCSEL)、およびエッジ発光レーザ、を含む半導体発光デバイスは、現在利用可能な光源のうち最も効率的なものである。可視スペクトルにわたり動作することができる高輝度発光デバイスの製造において現在関心のある材料系は、III-V族半導体、特には、ガリウム、アルミニウム、インジウム、および窒素の二元、三元、および四元合金を含むものであり、III族窒化物材料としても参照されている。典型的に、III族窒化物発光デバイスは、有機金属気相成長法（MOCVD）、分子線エピタクシー法(MBE)、または他のエピタキシャル技術によって、サファイア、炭化ケイ素(silicon  carbide)、III族窒化物、または他の適切な基板上に、異なる組成およびドーパント濃度の半導体層の積層体（stack）をエピタキシャル成長させることによって製造される。積層体は、しばしば、例えば、基板上に形成された、例えば、ケイ素(Si)を用いてドープされた１つまたはそれ以上のn型層、n型層の上に形成された活性領域における１つまたはそれ以上の発光層、および、活性領域の上に形成された、例えば、マグネシウム(Mg)を用いてドープされた１つまたはそれ以上のp型層を含む。電気接点が、n型およびp型領域に形成されている。
【０００２】
LEDは、非常に広い角度範囲の光を放射する。MR16コンパチブル電球（compatible  bulb）またはGU10コンパチブル電球といった、スポットランプにおける使用のためには、狭い角度拡がり（angular  spread）を有するビームが望ましい。LEDの上に配置された全内部反射（TIR）コリメータは、LEDからの光をタイトなビーム（tight  beam）へとリダイレクトするための一般的なソリューションである。
【０００３】
図1および図2は、TIRコリメーション光学系（collimation  optic）16およびLED発光デバイス（light  emission  device）18を有する従来技術の照明器具15を示している。図1および図2の構造は、米国特許第8038319号においてより詳細に説明されている。LED発光デバイス18は、プリント配線板（PWB）22の上にマウントされたLEDエミッタアレイ（emitter  array）20を含んでいる。LEDエミッタアレイ20およびPWB  22は、協働して放射光（emitted  light）を生成する。蛍光体変換キャビティ（phosphor  conversion  cavity）24は、例えば、白色の混合光を形成するために、放射光の波長を青色から黄色に変えることによって、放射光を、より望ましい演色性（color  rendering  index）を有する蛍光体放射光（phosphor-emitted  light）へ変換する。
【０００４】
蛍光体放射光は、次に、典型的には環状オレフィン共重合体（cyclic  olefin  copolymer、COC）またはガラスから作られている光抽出レンズ（light  extraction  lens）26を通過する。光抽出レンズ26は、蛍光体放射光の使用可能な割合を増加させる。光抽出レンズ26によって抽出された光は、光コリメーションデバイス30の内部多項式曲面（inner  polynomial  surface）28を通過する。低仰角（low  elevation  angle）で内部多項式曲面28を通過する光は、外側TIRミラー32の内面から反射する。内部多項式曲面28と外側TIRミラー32との間のスペース36は、固体光学ポリマー（solid  optical  polymer）で充填されている。外側TIRミラー32は、コリメート光（collimated  light）を生成するように機能する。光コリメーションデバイス30にはボイド（void）34が設けられており、光学成形のための均一な厚さの規則に違反したときにしばしば経験されるシンク（sink）(すなわち、望ましくないクボミ（depressions）)を減少させる。
【０００５】
コリメートされた光は、TIRコリメーション光学系16の出射面上にウィスプ（wisp）レンズアレイ40を有するレンズ38を通過する。TIRコリメーション光学系16の例示的な出射面の上面図が、図3に示されている。ウィスプレンズアレイ40は、表面44上に形成されたウィスプレンズのアレイを形成する複数のウィスプレンズ42を含んでいる。個々のウィスプレンズの量、配置、および配向は変動し得る。
【図面の簡単な説明】
【０００６】
【図１】図１は、従来技術の照明器具の側面図である。
【図２】図２は、図1の照明器具の上面図である。
【図３】図３は、LED上に配置された固体光学系を含む透明な構造体の断面図である
【図４】図４は、複数の屈折レンズ、TIR表面、および、異なるテクスチャーリング（texturing）を伴う領域を有する出射面を含む、コリメート光学系を示している。
【図５】図５は、LEDの上に配置された側面反射器および透明カバーを含む透明な構造体の断面図である。
【発明を実施するための形態】
【０００７】
図1および図2の装置といった、TIRコリメータを含む装置においては、しばしば、光がコリメートされ過ぎ、TIRコリメータからのビームが狭すぎることを意味している。狭すぎるビームは、例えば、図2に示されるように、コリメータレンズの上面にテクスチャーを追加することによって修正され得る。
【０００８】
図2に示されるように、小型レンズ（lenslets）は均一なアレイ（array）で形成されている。しかしながら、図1の光抽出レンズ26が、不十分にコリメートされたビームを生成し得る、一方で、TIR表面32は、良好にコリメートされたビームを生成し得る。従って、図2に示される小型レンズの均一なアレイは、これらのコリメートされたビームそれぞれに適用される場合、不十分にコリメートされたビームに対して過剰な拡散を生成し得るし、そして、良好にコリメートされたビームに対しては過少な拡散を生成し得る。結果として、そうしたレンズの光学性能が制限されることがある。
【０００９】
本発明の実施形態では、コリメート光学系（collimating  optics）といった透明な構造体の上部の、出射面は、コリメート構造体から出射する光の拡散または散乱を引き起こす構造を含んでいる。出射面の異なる領域は、異なる量の拡散または散乱を引き起こすように、テクスチャー化（textured）またはパターン化（patterned）されてよい。例えば、屈折レンズの上の領域は、TIR表面の上の領域よりも少ない散乱を生じさせ得る。いくつかの実施形態において、出射面は、小型レンズを用いてパターン化されている。小型レンズの光パワーは、出射面上の位置の関数として変化し得る。球形の小型レンズの場合、光パワーは、小型レンズの曲率半径によって推定され得る。例えば、光パワーは、特徴（feature）の「勾配（”steepness”）」によって決定される。並みの勾配(ほぼ平坦、より大きな曲率半径)を有するレンズは、低い光パワーを有する。険しい勾配(より高い、より小さい曲率半径)を有するレンズは、光をより大きく曲げさせる。そして、そうしたレンズは、より強い光パワーを有している。
【００１０】
以下の実施例を通じて、半導体発光デバイスは、青色又は紫外線（UV）光を放射するIII族窒化物LEDであり、レーザダイオードといったLED、および、他のIII-V族材料、III族リン化物、III族ヒ素、II-VI族材料、ZnO、または、Si系材料といった他の材料系から作られた半導体発光デバイス以外の半導体発光デバイスが使用され得る。青色または紫外線（UV）発光デバイスは、しばしば、１つまたはそれ以上の波長変換材料と組み合わされて、発光デバイスと波長変換材料からの組み合わされた光が白色に見えるように、異なる色の光を加える。
【００１１】
図3は、いくつかの実施形態に従った透明な構造体を示している。透明な構造体50は、例えば、PMMA、ポリカーボネート、シリコーン（silicone）、ガラス、または他の任意の適切な材料といった、固体の透明な材料から形成されるコリメート光学系であってよい。凸部を形成する表面である屈折レンズ54が、構造体50の中心付近に配置されている。１つまたはそれ以上のLEDまたは他の適切な光源が、構造体50の外側で、屈折レンズ54の下の領域52に配置されている。領域52の底部から上方に延びる面は、全内部反射を引き起こす１つまたはそれ以上の湾曲、平坦、または他の表面56である。図3に示される構造体50は、これは必要とされないが、回転対称であってよい。
【００１２】
光の大部分は、上面58を通じて構造体50を出て行く。上面58は、上面を通じて出射する光の拡散または散乱を引き起こすように、テクスチャー化されている。上面の異なる領域は、異なるレベルの拡散または散乱を引き起こすように、パターン化またはテクスチャー化されている。いくつかの実施形態において、上面58は、小型レンズ61を用いてパターン化されている。
【００１３】
中央の屈折レンズ54からの光は、たいてい、強くコリメートされない。従って、いくつかの実施形態において、屈折レンズ54より上の、領域60における小型レンズ61の光パワーは小さくてよい。TIR表面56のリム（rim）において、光は、たいてい、良好にコリメートされる。従って、いくつかの実施形態において、レンズの中心から遠く離れたTIR表面の外縁（outer  edge）の上の、領域62における小型レンズ61の光パワーは、大きくてよい。
いくつかの実施形態においては、領域62において、上面は、第１角度範囲にわたり光を拡散するように(例えば、小型レンズまたは他の任意の適切な構造を用いて)テクスチャー化され、そして、領域60において、上面は、第１角度範囲よりも広い／幅広い第２角度範囲にわたり光を拡散するようにテクスチャー化されている。
【００１４】
いくつかの実施形態において、小型レンズ61の形状は、谷によって隔てられた丘、または、上面の平坦な領域によって隔てられ、または、囲まれた丘とみなされてよい。いくつかの実施形態において、より多くの光パワーを必要とする上面58の領域62において、より低い光パワーを必要とする領域60の小型レンズと比較して、小型レンズ61の高さ(すなわち、丘の高さ)は、より大きくてよく、かつ/あるいは、隣接する小型レンズ61間(すなわち、隣接する丘の間）の距離は、より少ない光パワーを必要とする領域60における小型レンズと比べて、より小さくてよい。いくつかの実施形態において、より多くの光パワーを必要とする上面58の領域62において、小型レンズ61の曲率半径は、より少ない光パワーを必要とする領域60における小型レンズの曲率半径よりも小さくてよい。
【００１５】
いくつかの実施形態において、表面58全体は、六角形または概ね六角形のアレイにおいて配置された小型レンズ、または、同様な構成に配置されたディンプルによってカバーされている。いくつかの実施形態において、表面58上の小型レンズの間隔及び配置は、上面58の全体にわたり一貫しており、一方、小型レンズ61の高さは、領域62および60において異なっている。いくつかの実施形態において、小型レンズの間隔および配置は、上面にわたり、例えば、領域62と領域60との間で、変化する。上面58における小型レンズのカバー率は、しばしば、光学的理由ため、１００％である。いくつかの実施形態において、小型レンズは、上面58の１００％未満を占めている。
【００１６】
例えば、領域62における小型レンズ61の高さ(すなわち、丘の高さ、または、丘の上から谷までの高さ)は、いくつかの実施形態において、少なくとも２０μｍであり、そして、いくつかの実施形態においては、１ｍｍ以下であってよい。一方、領域60における小型レンズ61の高さは、いくつかの実施形態において、少なくとも０μｍであり、そして、いくつかの実施形態においては、０．８μｍ以下であってよい。領域60における小型レンズ61の高さは、いくつかの実施形態においては、領域62における小型レンズ61の高さの、少なくとも０％であってよく、そして、いくつかの実施形態においては、８０％以下であってよい。
【００１７】
例えば、隣接する小型レンズ間のピッチ（pitch）は、いくつかの実施形態において、少なくとも５０μｍであり、そして、いくつかの実施形態においては、２ｍｍ以下である。アスペクト比(AR)は、小型レンズのピークと谷間との間の高さの差を隣接する小型レンズ間の距離で除算したものとして定義される。領域62におけるARは、いくつかの実施形態において、領域60におけるARよりも大きくてよい。領域62におけるARは、いくつかの実施形態において、少なくとも２０％であってよく、そして、いくつかの実施形態においては、１００％以下であってよい。領域60におけるARは、いくつかの実施形態において、少なくとも０％であってよく、そして、いくつかの実施形態においては、５０％以下であってよい。領域60におけるARは、いくつかの実施形態において、領域62におけるARの少なくとも８０％又はそれより小さくてよい。小型レンズ61による表面58のカバー率は、いくつかの実施形態において、領域62で少なくとも５０％であってよく、そして、いくつかの実施形態においては、領域60で少なくとも０％であってよい。
【００１８】
小型レンズは、楕円形または任意の他の形状といった、回転対称または非回転対称であってよい。
【００１９】
いくつかの実施形態においては、出射面58の所与の領域内で、小型レンズは、規則的なアレイに配列されており、そして、実質的に同一なサイズと形状である。しかしながら、出射面の異なる領域間では、小型レンズの配置、及び／又は、サイズと形状が変化する。例えば、領域60および62それぞれの中では、小型レンズが、規則的なアレイに配列されてよく、そして、実質的に同一なサイズと形状であってよい。しかしながら、領域60内の小型レンズのアレイ、サイズ、及び／又は、形状が、領域62とは異なってよい。
【００２０】
いくつかの実施形態において、出射面58の全体または一部分にわたり、間隔、サイズ、及び／又は、形状が、連続的に変化し得る。例えば、いくつかの実施形態において、曲率半径、高さ、または、他の任意の特徴といった、小型レンズ61の特徴は、領域60、領域62、および、領域60と領域62との間の領域を含む、上面58の一部分にわたり連続的に変化している。
【００２１】
いくつかの実施形態において、小型レンズの異なる領域60および62は、平滑、実質的に平坦、かつ／あるいは、粗面化 (すなわち、ランダムにテクスチャー化)された領域も含む、出射面上に実装され得る。
【００２２】
図4は、２×２アレイに配列された、４つの屈折レンズを含む光学系70を示している。１つのLEDまたはLEDのグループが、それぞれの屈折レンズの下に配置され得る。図4の視野において、３つの領域52A、52B、および52C、並びに、３つのTIR表面56A、56B、および56Cが見える。光学系70の上面58上では、より少ない光パワーを生成するテクスチャーリング（texturing）を含む４つの領域60、60A、60B、および60Cが、より多くの光パワーを生成するテクスチャーリングを含む領域62によって囲まれている。光学系の上面は、例えば、上述の実施例または実施形態のいずれかに従って、テクスチャー化されている。例えば、小型レンズが、光学系70の上面全体にわたり形成され得る。領域62において、小型レンズは、領域60、60A、60B、および60Cにおける小型レンズよりも、背が高く、曲率半径が小さく、かつ／あるいは、より大きい光パワーを有している。
【００２３】
図3および図4に示されるデバイスにおいては、固体の透明な光学系が、光源の上に配置されている。図5に示されるデバイスにおいては、中空の、反射光学系が使用されている。図5において、透明な構造体は、LED  100といった光源の上に配置された反射性側壁70を含んでいる。図3および図4に示されるTIR表面とは異なり、反射性側壁70は、例えば、反射性金属、反射性プラスチックもしくは樹脂（resin）、または任意の他の適切な反射性材料といった反射性材料から形成されてよい。もしくは、反射性金属、反射性プラスチックといった反射性材料、または、反射性塗料が、例えば、プラスチック、金属、または、任意の他の適切な材料といった非反射性構造体の表面上に形成されてよい。反射性側壁70間の領域72は、空気、雰囲気ガス、真空、液体材料、ゲル材料、固体材料、または、任意の他の適切な材料で充填されてよい。
【００２４】
透明板または他の構造体74が、反射性側壁70および領域72の上に配置されている。透明板74は、カバーとして動作することができ、そして、上述の実施例および実施形態において説明された固体光学系（solid  optics）のための材料を含む、任意の適切な材料から形成され得る。光は、底面78を通って透明な構造体74に進入し、そして、上面76を通って出て行く。上面76は、例えば、上述の実施例または実施形態のいずれかに従って、テクスチャー化されている。図5に示される実施例においては、複数の小型レンズ61が上面76の上に形成されている。上述のように、小型レンズの光パワーは、上面の異なる領域において異なってよい。LED  100の上の領域60において、小型レンズは、高さがより小さくてよく、より少ない光パワーを有してよく、そして、反射性側壁70の上の領域62における小型レンズより大きい曲率半径を有してよい。いくつかの実施形態において、底面78は、例えば、上述のように、上面76の代わりに、または、これに加えて、テクスチャー化されてよい。
【００２５】
上述の実施例は、一般的な照明、バックライト、または任意の他の適切な照明アプリケーションといった用途に適するだろう。いくつかの実施形態において、上述の実施例は、例えば、エジソン電球、多面リフレクタ(multifaceted  reflector、MR)電球、放物面アルミめっきリフレクタ(parabolic  aluminized  reflector、PAR)電球、バルジリフレクタ(bulged  reflector、BR)電球、調光可能（dimmable）電球、または、他の任意の適切なパッケージといった、任意の適切な電球の中に組み込まれてよい。
【００２６】
本発明を詳細に説明してきたが、当業者であれば、本開示が与えられれば、ここにおいて説明される発明概念の精神から逸脱することなく、本発明に対する修正を成し得ることを理解するであろう。特に、異なる機能、および、ここにおいて説明されたものと異なるデバイスのコンポーネントが、任意の他のデバイスに使用されてよく、または、機能およびコンポーネントが、任意のデバイスから除外されてよい。一つの形態のコンテキストで説明される構造の特徴は、任意の実施形態に適用可能である。従って、本発明の範囲は、例示および説明される特定の実施形態に限定されることを意図しない。
【図１】
2020514974.tif 000003
【図２】
2020514974.tif 000004
【図３】
2020514974.tif 000005
【図４】
2020514974.tif 000006
【図５】
2020514974.tif 000007
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
発光ダイオードと、
前記発光ダイオードの上に配置されている透明な構造体と、
を含む、デバイスであって、
前記透明な構造体は、
第１表面であり、前記発光ダイオードから抽出され、かつ、該第１表面に入射する光を反射する、第１表面と、
前記第１表面に対向する出射面であり、該出射面は、第１角度範囲にわたり光を拡散するようにテクスチャー化された第１領域、および、該第１角度範囲よりも広い第２角度範囲にわたり光を拡散するようにテクスチャー化された第２領域を含む、出射面と、
屈折レンズであり、前記発光ダイオードが該屈折レンズの下に配置されている、屈折レンズと、を含み、
前記屈折レンズは、前記第２領域の下に配置されており、かつ、前記第１表面の少なくとも一部分は、前記第１領域の下に配置されており、
前記第１領域は、第１アレイに配置された複数の第１小型レンズを用いてテクスチャー化されており、かつ、前記第２領域は、第２アレイに配置された複数の第２小型レンズを用いてテクスチャー化されており、
前記小型レンズのアレイのアスペクト比は、小型レンズの高さを隣接する小型レンズ間の距離で除算したものによって定義され、前記第１アレイは第１アスペクト比を有し、かつ、前記第２アレイは第２アスペクト比を有し、前記第２アスペクト比は前記第１アスペクト比よりも小さい、
デバイス。
【請求項２】
前記第１表面は、金属反射器であり、かつ、
前記第１表面および前記出射面は、ガスで充填された領域を取り囲む、
請求項１に記載のデバイス。
【請求項３】
前記第１表面は、固体構造体の表面であり、かつ、
前記第１表面は、全内部反射を生じさせる、
請求項１に記載のデバイス。
【請求項４】
前記第１小型レンズは、前記第２小型レンズよりも背が高い、
請求項１に記載のデバイス。
【請求項５】
前記第１小型レンズは、前記第２小型レンズよりも曲率半径が小さい、
請求項１に記載のデバイス。
【請求項６】
前記第２領域は、前記第１領域の一部分によって分離された第１領域および第２領域へと分割されている、
請求項１に記載のデバイス。
【請求項７】
前記透明な構造体は、さらに、
前記出射面に対向する前記透明な構造体の表面上に配置された第１屈折レンズおよび第２屈折レンズを含み、前記第１屈折レンズおよび前記第２屈折レンズは、それぞれに、前記第１領域および前記第２領域の下に配置されている、
請求項６に記載のデバイス。
【請求項８】
前記第１表面の一部分は、前記第１屈折レンズと前記第２屈折レンズとの間に配置されている、
請求項７に記載のデバイス。
【請求項９】
請求項１に記載のデバイスを備える、電球。
【請求項１０】
前記第２領域における小型レンズの高さは、前記第１領域における小型レンズの高さの最大で８０％である、
請求項１に記載のデバイス。
【請求項１１】
前記第１領域における小型レンズの高さは最大で１ｍｍであり、かつ、
前記第２領域における小型レンズの高さは最大で０．８μｍである、
請求項１０に記載のデバイス。
【請求項１２】
前記第１領域および前記第２領域は、さらに、実質的に平坦面の領域を含む出射面の上に実装されている、
請求項１０に記載のデバイス。
【請求項１３】
前記発光ダイオードは、第１発光ダイオードであり、
前記屈折レンズは、第１屈折レンズであり、
前記発光ダイオードの上に配置される透明な構造体は、さらに、前記出射面に対向して配置されている第２屈折レンズを含み、かつ、
前記デバイスは、さらに、前記第２屈折レンズの下に配置された第２発光ダイオードを含む、
請求項１に記載のデバイス。
【請求項１４】
前記第１領域は、第１部分および第２部分へと分割されており、
前記第１部分は、前記第１屈折レンズの上に配置されており、かつ、前記第２部分は、前記第２屈折レンズの上に配置されている、
請求項１３に記載のデバイス。
【請求項１５】
請求項１０に記載のデバイスを備える電球。
【国際調査報告】
2020514974.tif 000008
2020514974.tif 000009
2020514974.tif 000010